(57)【要約】【課題】複数の中継場所（出先中継）と連携してコンテンツを制作することができるデータ送信装置、プログラムおよびデータ受信装置、プログラムならびにデータ送受信方法を提供する。【解決手段】放送局側にてコンテンツの出力を調整するコンテンツ調整装置１６で調整され符号化された符号化調整データと、当該コンテンツを構成する映像データを撮像する撮像装置２および当該映像データを撮像する際の音声を含む音である音声データを調整する音声調整装置４を制御する制御信号を、通信ネットワークを介して受信すると共に、前記映像データおよび前記音声データを符号化して送信するデータ送信装置１であって、送受信手段５と、調整データ復号出力手段７と、符号化手段９と、を備えた。【選択図】      図１
2005005958.tif 000002
【特許請求の範囲】
【請求項１】
放送局側にてコンテンツの出力を調整するコンテンツ調整装置で調整された後に、符号化された符号化調整データと、当該コンテンツを構成する映像データを撮像する撮像装置および当該映像データを撮像する際の音声を含む音である音声データを調整する音声調整装置を制御する制御信号とを、通信ネットワークを介して受信すると共に、前記映像データおよび前記音声データを符号化して送信するデータ送信装置であって、
前記コンテンツ調整装置で調整された後に、符号化された符号化調整データと前記制御信号とを受信する受信手段と、
この受信手段で受信された符号化調整データを復号して調整データとし、当該調整データを表示する調整データ表示装置に出力すると共に、前記制御信号を前記撮像装置および前記音声調整装置に出力する調整データ復号出力手段と、
前記撮像装置で撮像された映像データおよび前記音声調整装置で調整された音声データを符号化した符号化映像音声データとする符号化手段と、
この符号化手段で符号化された符号化映像音声データを送信する送信手段と、を備えることを特徴とするデータ送信装置。
【請求項２】
放送局側にてコンテンツの出力を調整するコンテンツ調整装置で調整された後に、符号化された符号化調整データと、当該コンテンツを構成する映像データを撮像する撮像装置および当該映像データを撮像する際の音声を含む音である音声データを調整する音声調整装置を制御する制御信号とを、通信ネットワークを介して受信すると共に、前記映像データおよび前記音声データを符号化して送信する装置を、
前記コンテンツ調整装置で調整された後に、符号化された符号化調整データと前記制御信号とを受信する受信手段、
この受信手段で受信された符号化調整データを復号して調整データとし、当該調整データを表示する調整データ表示装置に出力すると共に、前記制御信号を前記撮像装置および前記音声調整装置に出力する調整データ復号出力手段、
前記撮像装置で撮像された映像データおよび前記音声調整装置で調整された音声データを符号化した符号化映像音声データとする符号化手段、
この符号化手段で符号化された符号化映像音声データを送信する送信手段、
として機能させることを特徴とするデータ送信プログラム。
【請求項３】
通信ネットワークを介して、中継場所にて撮像装置および音声調整装置で取得された映像データおよび音声データを符号化した符号化映像音声データを、通信ネットワークを介して受信すると共に、前記符号化映像音声データを復号した映像音声データをコンテンツとし、当該コンテンツの出力を調整するコンテンツ調整装置に出力するデータ受信装置であって、
前記符号化映像音声データを受信する受信手段と、
この受信手段で受信した符号化映像音声データが復号された映像音声データを前記コンテンツ調整装置に出力する映像音声データ復号出力手段と、
前記コンテンツ調整装置で前記映像音声データが調整された調整データを符号化した符号化調整データとすると共に、この符号化調整データと、前記撮像装置および前記音声調整装置を制御する制御信号とを出力する調整データ符号化出力手段と、
この調整データ符号化出力手段で出力された符号化調整データおよび制御信号を、前記通信ネットワークを介して前記中継場所に送信する送信手段と、
を備えることを特徴とするデータ受信装置。
【請求項４】
前記映像音声データ復号出力手段は、直接放送波として出力するために前記符号化映像音声データを復号する放送用復号手段と、復号後の映像音声データを確認するために前記符号化映像音声データを復号する確認用復号手段とを備えることを特徴とする請求項３に記載のデータ受信装置。
【請求項５】
通信ネットワークを介して、中継場所にて撮像装置および音声調整装置で取得された映像データおよび音声データを符号化した符号化映像音声データを、通信ネットワークを介して受信すると共に、前記符号化映像音声データを復号した映像音声データをコンテンツとし、当該コンテンツの出力を調整するコンテンツ調整装置に出力する装置を、
前記符号化映像音声データを受信する受信手段、
この受信手段で受信した符号化映像音声データが復号された映像音声データを前記コンテンツ調整装置に出力する映像音声データ復号出力手段、
前記コンテンツ調整装置で前記映像音声データが調整された調整データを符号化した符号化調整データとする共に、この符号化調整データと、前記撮像装置および前記音声調整装置を制御する制御信号とを出力する調整データ符号化出力手段、
この調整データ符号化出力手段で出力された符号化調整データおよび制御信号を、前記通信ネットワークを介して前記中継場所に送信する送信手段、
として機能させることを特徴とするデータ受信プログラム。
【請求項６】
放送局側にてコンテンツの出力を調整するコンテンツ調整装置で調整された後に、符号化された符号化調整データと、当該コンテンツを構成する映像データを撮像する撮像装置および当該映像データを撮像する際の音声を含む音である音声データを調整する音声調整装置を制御する制御信号とを、通信ネットワークを介して受信すると共に、前記映像データおよび前記音声データを符号化して送信するデータ送信側と、前記映像データおよび前記音声データを符号化した符号化映像音声データを、前記通信ネットワークを介して受信すると共に、前記符号化映像音声データを復号した映像音声データをコンテンツとし、前記コンテンツ調整装置に出力するデータ受信側とによって、コンテンツを制作するデータ送受信方法であって、
前記データ送信側は、
前記コンテンツ調整装置で調整された後に、符号化された符号化調整データと前記制御信号とを受信する送信側受信ステップと、
この送信側受信ステップにて受信された符号化調整データを復号して調整データとし、当該調整データを表示する調整データ表示装置に出力すると共に、前記制御信号を前記撮像装置および前記音声調整装置に出力する調整データ復号出力ステップと、
前記撮像装置で撮像された映像データおよび前記音声調整装置で調整された音声データを符号化した符号化映像音声データとする符号化ステップと、
この符号化ステップにて符号化された符号化映像音声データを送信する送信側送信ステップと、を含み、
前記データ受信側は、
前記符号化映像音声データを受信する受信ステップと、
この受信ステップにて受信した符号化映像音声データが復号された映像音声データを前記コンテンツ調整装置に出力する映像音声データ復号出力ステップと、
前記コンテンツ調整装置で前記映像音声データが調整された調整データを符号化した符号化調整データとすると共に、この符号化調整データと、前記撮像装置および前記音声調整装置を制御する制御信号とを出力する調整データ符号化出力ステップと、
この調整データ符号化出力ステップにて出力された符号化調整データおよび制御信号を送信する送信ステップと、
を含むことを特徴とするデータ送受信方法。
【発明の詳細な説明】
【０００１】
【発明の属する技術分野】
本発明は、放送局と放送局外部の中継スタジオ等とを利用してコンテンツを制作するためにデータを送信、受信するデータ送信装置、データ送信プログラムおよびデータ受信装置、データ受信プログラムならびにデータ送受信方法に関する。
【０００２】
【従来の技術】
従来、放送局と、複数の中継場所とが連携してコンテンツを制作する場合、つまり、放送局の外部（中継場所［現場］、撮影スタジオ等）からニュース、スポーツ等の番組（コンテンツ）を中継する場合（出先中継）、この出先中継におけるコンテンツの伝送には、１対向のＦＰＵ装置（ＦＰＵ送信機、ＦＰＵ受信機；Ｆｉｅｌｄ  Ｐｉｃｋ−ｕｐ  Ｕｎｉｔ）を使用している。このＦＰＵ装置は、地上マイクロ波中継装置であり、通常、テレビ中継車や中継用のヘリコプタに搭載して使用される。
【０００３】
なお、ＦＰＵ基地局（ＦＰＵ受信機が設置されている場所）の所在位置と、ＦＰＵ送信機の所在位置との間に障害物が存在する（見通し範囲に無い）場合や、ＦＰＵ送信機から送信する地上マイクロ波が伝送可能な距離より、当該ＦＰＵ送信機からＦＰＵ基地局までの距離が長距離である場合等、物理的、地理的な制約がある場合には、ＦＰＵ装置を多段に接続する必要がある。
【０００４】
また、１対向のＦＰＵ装置では、映像データおよび音声データを単一の方向にのみ転送可能に構成されている。つまり、送信側のＦＰＵ送信機から送信した映像データおよび音声データの送り返しは行われず、ＦＰＵ受信機側では別の伝送路を使用して音声（掛け合い音声、指示音声、コーディネーション音声）のみを伝送していた。
【０００５】
ちなみに、中継場所（複数の撮影スタジオ）が連携して、コンテンツを制作するものとして、「画像処理方法、画像処理装置、スタジオ装置、スタジオシステム及びプログラム」（特許文献１参照）が開示されている。
【０００６】
【特許文献１】
特開２００２−２７１６９２号公報（段落番号［００４３］−段落番号［００５３］、第１図）
【０００７】
【発明が解決しようとする課題】
しかしながら、従来のＦＰＵ装置には、当該ＦＰＵ装置のリソース（チャンネル）の管理、外的要因による伝送路の影響等、以下（１）から（６）に示すような問題がある。
【０００８】
（１）多元中継の場合、つまり、一つのニュース番組やスポーツ番組の中で、出先中継が複数である場合、複数組のＦＰＵ装置（ＦＰＵ送信機、ＦＰＵ受信機）を同時に運用することになる。この場合に、図７に示したように、複数組のＦＰＵ装置が同じ周波数を使用すると、互いに混信してしまうことがあるので、各ＦＰＵ装置が発信する電波の周波数帯を振り分ける必要がある。ただし、周波数帯域には限りがあり、また、複数組のＦＰＵ装置が共用であるため、多元中継に当該ＦＰＵ装置を使用する度に周波数帯域を割り当て直して使用しなければならないという問題がある。
【０００９】
（２）各ＦＰＵ装置に割り当てる周波数帯域幅が足りず、振り分けられない場合には、使用時間を区切って同じ周波数帯域を複数のＦＰＵ装置で使用する必要がある。つまり、混信を防止するために、１台のＦＰＵ装置による伝送が終了したら、当該ＦＰＵ装置の電源をＯＦＦし（電波の発射を止める）、その後、次に使用するＦＰＵ装置の電源をＯＮにする（電波の発射をする）という制限された運用をしなければならないという問題がある。
【００１０】
（３）また、使用する周波数帯の振り分けは、外的要因による伝送路への影響も考慮しなければならない。つまり、具体的には、混信の可能性がある近接地域において、別の中継（外的要因）がなされる場合、この中継にて運用するＦＰＵ装置との間で周波数帯の振り分けや使用時間等を調整しなければならないという問題がある。また、周波数帯の振り分けや使用時間等を調整したとしても、外的要因として、予測不可能な自然現象により混信することがある。なお、この混信は、予測不可能な自然現象によって、ＦＰＵ装置から送信される電波が反射しやすい空間が伝搬空間中に生じ、当該電波が少しずつずれることによって重なり合って生じるものである。
【００１１】
（４）１組のＦＰＵ装置による最大の伝送距離は、一般的に８０ｋｍ〜９０ｋｍであるので、この距離以上の伝送を実現するためには、受信基地局（ＦＰＵ基地局）等を利用して、当該受信基地局にＦＰＵ装置（ＦＰＵ受信機）を設け、ＦＰＵ装置の多段接続をしなければならないという問題がある。なお、近距離であっても、１組のＦＰＵ装置が物理的、地理的条件により見通し範囲内にない場合でも、伝送経路を確保するために（迂回するために）ＦＰＵ装置の多段接続をしなければならない。
【００１２】
（５）さらに、ＦＰＵ装置に備えられるＦＰＵアンテナの方向調整も順序立てて実施しなければならないという問題がある。つまり、各ＦＰＵ装置に割り当てられた周波数を所定時間内に発射し、ＦＰＵアンテナ双方（ＦＰＵ送信機のＦＰＵアンテナとＦＰＵ受信機のＦＰＵアンテナ）の調整を行わなければならない。。なお、ＦＰＵ装置の多段接続の場合、中継接続地点の受信基地局（ＦＰＵ基地局）のＦＰＵアンテナの調整も行わなければならないという問題がある。複数のＦＰＵ装置を使用する場合には個別に同様の調整作業が必要であり、ちなみに、１組当たりの方向調整作業には５分から１０分程度の時間が必要である。
【００１３】
（６）ＦＰＵ装置は、１対向であるので、基本的に１対１の単一方向の伝送しかできないという問題がある。一旦送信した電波の送り返しが必要な場合、つまり、送信した映像を調整後送信元に送り返す「送り返し映像」が必要な場合、図８に示したように、別途ＦＰＵ装置を１対向追加して送信する必要があった。なお、低解像度の映像で問題がないのであれば、ＴＶ電話装置の１対向を準備する必要があった。さらに、放送局と中継場所とが連携してコンテンツを制作する場合、ＴＶアンテナで受信したオンエア映像から番組切替タイミング等の最低限の情報を確認して番組（コンテンツ）の制作を行うこともあり、このオンエア映像の送り返しは、生放送番組の本番中にしか使用できないので、例えば、番組開始前に本番を想定したリハーサル（掛け合いのリハーサル）を行いたくてもできないという問題がある。
【００１４】
以上、説明したように、ＦＰＵ装置を使用することによって、複数の中継場所（出先中継）と連携してコンテンツを制作することには種々の問題がある。
【００１５】
そこで、本発明の目的は前記した従来の技術が有する課題を解消し、ＦＰＵ装置を使用することなく、複数の中継場所（出先中継）と連携してコンテンツを制作することができるデータ送信装置、データ送信プログラムおよびデータ受信装置、データ受信プログラムならびにデータ送受信方法を提供することにある。
【００１６】
【課題を解決するための手段】
本発明は、前記した目的を達成するため、以下に示す構成とした。
請求項１記載のデータ送信装置は、放送局側にてコンテンツの出力を調整するコンテンツ調整装置で調整された後に、符号化された符号化調整データと、当該コンテンツを構成する映像データを撮像する撮像装置および当該映像データを撮像する際の音声を含む音である音声データを調整する音声調整装置を制御する制御信号とを、通信ネットワークを介して受信すると共に、前記映像データおよび前記音声データを符号化して送信するデータ送信装置であって、受信手段と、調整データ復号出力手段と、符号化手段と、送信手段と、を備える構成とした。
【００１７】
かかる構成によれば、データ送信装置は、受信手段によって、放送局側に備えられるコンテンツ調整装置で調整された後に、符号化された符号化調整データと制御信号を受信し、この受信した符号化調整データを調整データ復号出力手段で復号し、この復号した調整データを調整データ表示装置に出力し、制御信号を撮像装置および音声調整装置に出力する。つまり、このデータ送信装置は、通信ネットワークを介して、放送局側から送信された制御信号によって、中継場所にある撮像装置および音声調整装置を遠隔操作させる共に、放送局側で調整された調整データを取得し、この調整データを調整データ表示装置に表示させるので、当該装置の使用者は、表示された調整データを参考にして、映像データおよび音声データを得る。つまり、映像データを得る際に、例えば、映像データを表示装置（映像データ表示装置）に表示させることによって、撮像中の映像データと調整データとを対比しながら、動作や演技（ニュース番組であれば、ニュースの読み上げ等）を行うことができる。
【００１８】
なお、このデータ送信装置は、各中継場所（現場）や撮影スタジオ等に設置されるもので、いわゆる、通信ネットワークを介して、放送局側にあるコンテンツ調整装置（映像調整卓等）のスタジオ設備と接続されるＩＰスタジオ、つまり、インターネットプロトコル（ＩＰ；通信ネットワークの一種）で接続されたスタジオを構成するものと言える。
【００１９】
そして、このデータ送信装置は、符号化手段によって、撮像装置で撮像された映像データおよび音声調整装置で調整された音声データを符号化し、この符号化した符号化映像音声データを送信手段によって、放送局側に送信する。つまり、このデータ送信装置を中継場所に複数設けることによって、従来のようにＦＰＵ装置を介さずに、通信ネットワークを利用して、放送局と中継場所とが連携してコンテンツを制作することができる。
【００２０】
請求項２記載のデータ送信プログラムは、放送局側にてコンテンツの出力を調整するコンテンツ調整装置で調整された後に、符号化された符号化調整データと、当該コンテンツを構成する映像データを撮像する撮像装置および当該映像データ撮像する際の音声を含む音である音声データを調整する音声調整装置を制御する制御信号とを、通信ネットワークを介して受信すると共に、前記映像データおよび前記音声データを符号化して送信する装置を、受信手段、調整データ復号出力手段、符号化手段、送信手段、として機能させる構成とした。
【００２１】
かかる構成によれば、データ送信プログラムは、受信手段によって、放送局側に備えられるコンテンツ調整装置で調整された後に、符号化された符号化調整データと制御信号とを受信し、この受信した符号化調整データを調整データ復号出力手段で復号し、この復号した調整データを調整データ表示装置に出力し、また、中継場所に設置されている撮像装置および音声調整装置に、制御信号を出力して操作している。
【００２２】
そして、このデータ送信プログラムは、符号化手段によって、撮像装置で撮像された映像データおよび音声調整装置で調整された音声データを符号化し、この符号化した符号化映像音声データを送信手段によって、放送局側に送信する。
【００２３】
請求項３記載のデータ受信装置は、通信ネットワークを介して、中継場所にて撮像装置および音声調整装置で取得された映像データおよび音声データを符号化した符号化映像音声データを、通信ネットワークを介して受信すると共に、前記符号化映像音声データを復号した映像音声データをコンテンツとし、当該コンテンツの出力を調整するコンテンツ調整装置に出力するデータ受信装置であって、受信手段と、映像音声データ復号出力手段と、調整データ符号化出力手段と、送信手段と、を備える構成とした。
【００２４】
かかる構成によれば、データ受信装置は、受信手段によって、撮像装置および音声調整装置で取得され符号化された符号化映像音声データを受信し、映像音声データ復号出力手段によって、符号化映像音声データを復号した映像音声データをコンテンツ調整装置に出力する。つまり、このデータ受信装置は、複数の中継場所に設置された撮像装置および音声調整装置から取得された符号化映像音声データを復号し、この復号した映像音声データをコンテンツ調整装置、例えば、放送局に備えられているスタジオ設備にある映像調整卓（スイッチャー）等に出力される。
【００２５】
そして、このデータ受信装置は、調整データ符号化出力手段によって、映像音声データがコンテンツ調整装置で調整された調整データを符号化した符号化調整データと、撮像装置および音声調整装置を制御する制御信号とを出力し、送信手段によって、通信ネットワークを介して中継場所に符号化調整データおよび制御信号を送信する。なお、制御信号は、撮像装置の１つであるカメラの雲台の動きを制御する制御信号や、調光器から発せられる光の光度を制御する制御信号等が挙げられる。また、この制御信号は、例えば、別体の制御信号生成装置（ＰＣ等）で生成されたものである。
【００２６】
請求項４記載のデータ受信装置は、請求項３に記載のデータ受信装置において、前記映像音声データ復号出力手段は、直接放送波として出力するために前記符号化映像音声データを復号する放送用復号手段と、復号後の映像音声データを確認するために前記符号化映像音声データを復号する確認用復号手段とを備えることを特徴とする。
【００２７】
かかる構成によれば、データ受信装置の映像音声データ復号出力手段は、符号化映像音声データを直接放送波として出力するための放送用復号手段と、符号化映像音声データを復号した後の映像音声データを確認するための確認用復号手段との２つの復号手段を備えることによって、放送用復号手段で実際に放送する符号化映像音声データを復号しながら、確認用復号手段で、例えば、次に放送する符号化映像音声データを復号した後の映像音声データを確認することができる。
【００２８】
請求項５記載のデータ受信プログラムは、通信ネットワークを介して、中継場所にて撮像装置および音声調整装置で取得された映像データおよび音声データを符号化した符号化映像音声データを、通信ネットワークを介して受信すると共に、前記符号化映像音声データを復号した映像音声データをコンテンツとし、当該コンテンツの出力を調整するコンテンツ調整装置に出力する装置を、受信手段、映像音声データ復号出力手段、調整データ符号化出力手段、送信手段、として機能させる構成とした。
【００２９】
かかる構成によれば、データ受信プログラムは、受信手段によって、撮像装置および音声調整装置で取得され符号化された符号化映像音声データを受信し、映像音声データ復号出力手段によって、符号化映像音声データを復号した映像音声データをコンテンツ調整装置に出力する。そして、このデータ受信プログラムは、調整データ符号化出力手段によって、映像音声データがコンテンツ調整装置で調整された調整データを符号化した符号化調整データと、撮像装置および音声調整装置を制御する制御信号とを出力し、送信手段によって、符号化調整データおよび制御信号を、通信ネットワークを介して中継場所に送信する。
【００３０】
請求項６記載のデータ送受信方法は、放送局側にてコンテンツの出力を調整するコンテンツ調整装置で調整された後に、符号化された符号化調整データと、当該コンテンツを構成する映像データを撮像する撮像装置および当該映像データを撮像する際の音声を含む音である音声データを調整する音声調整装置を制御する制御信号とを、通信ネットワークを介して受信すると共に、前記映像データおよび前記音声データを符号化して送信するデータ送信側と、前記映像データおよび前記音声データを符号化した符号化映像音声データを、前記通信ネットワークを介して受信すると共に、前記符号化映像音声データを復号した映像音声データをコンテンツとし、前記コンテンツ調整装置に出力するデータ受信側とによって、コンテンツを制作するデータ送受信方法であって、前記データ送信側は、送信側受信ステップと、調整データ復号出力ステップと、符号化ステップと、送信側送信ステップと、を含み、前記データ受信側は、受信ステップと、映像音声データ復号出力ステップと、調整データ符号化出力ステップと、送信ステップと、を含む手順とした。
【００３１】
かかる手順によれば、データ送受信方法は、データ送信側で、送信側受信ステップにおいて、放送局側に備えられるコンテンツ調整装置で調整された後に、符号化された符号化調整データと制御信号とを受信し、この受信した符号化調整データを調整データ復号出力ステップにて復号し、この復号した調整データを調整データ表示装置に出力し、制御信号を撮像装置および音声調整装置に出力する。
【００３２】
そして、このデータ送受信方法は、データ送信側で、符号化ステップにおいて、撮像装置で撮像された映像データおよび音声調整装置で調整された音声データを符号化し、この符号化した符号化データを送信側送信ステップにて、放送局側に送信する。
【００３３】
また、このデータ送受信方法は、データ受信側で、受信ステップにおいて、撮像装置および音声調整装置で取得され符号化された符号化映像音声データを受信し、映像音声データ復号出力ステップにおいて、符号化映像音声データを復号した映像音声データをコンテンツ調整装置に出力する。そして、このデータ送受信方法は、データ受信側で、調整データ符号化出力ステップにおいて、映像音声データがコンテンツ調整装置で調整された調整データを符号化した符号化調整データと、撮像装置および音声調整装置を制御する制御信号とを出力し、送信ステップにおいて、符号化調整データおよび制御信号を、通信ネットワークを介して中継場所に送信する。
【００３４】
【発明の実施の形態】
以下、本発明の一実施の形態について、図面を参照して詳細に説明する。
（コンテンツ制作システムの構成）
図１にコンテンツ制作システムのブロック図を示す。この図１に示すように、コンテンツ制作システムＡは、複数の中継場所（出先）に設置されるデータ送信装置１と、放送局に備えられるデータ受信装置３とが通信ネットワーク（ブロードバンドネットワーク）を介して接続されており、これらデータ送信装置１とデータ受信装置３とが連携（協同）して、コンテンツ（番組）を制作するものである。
【００３５】
また、データ送信装置１には、ニュースキャスター等の被写体や現場の情景を撮像した撮像データを得る撮像装置２と、当該ニュースキャスターが発声した音声や現場の音を調整した音声データを得る音声調整装置４と、データ受信装置３から送信された符号化調整データを復号した調整データを表示する調整データ表示装置６と、放送局側からニュースキャスター等に現在撮像している撮像データがオンエア中であることを知らせるタリー信号を出力するオンエアタリー信号出力装置１０と、ニュースキャスター等にニュースの進行の仕方等を知らせるタリー信号を出力するアナキュータリー信号出力装置１２が接続されている。さらに、撮像装置２には、撮像した映像データを表示する映像データ表示手段８とが接続されている。
【００３６】
なお、このコンテンツ制作システムＡでは、データ受信装置３から送信される制御信号によって、図示を省略した再撮モニタ（例えば、大型ディスプレイＰＤＰ／液晶）にディスプレイ出力（映像データ等）を供給する再撮モニタ表示用のパーソナルコンピュータ（再撮モニタ表示用ＰＣ）の制御を行うことができるように構成されている。
【００３７】
さらに、データ受信装置３には、映像データを他の映像データに切り替えること、出力の順序を調整すること、出力を加工すること等をするコンテンツ調整装置１６と、中継場所（出先中継）側に備えられている撮像装置２および音声調整装置４を遠隔操作するための制御信号および中継場所にいるニュースキャスター等への指示であるタリー信号を生成する制御信号生成装置１８とが接続されている。なお、この実施の形態では、これらコンテンツ調整装置１６、制御信号生成装置１８は、放送局に備えられているスタジオ設備の一部を指すものである。
【００３８】
（データ送信装置の構成）
データ送信装置１は、データ受信装置３から通信ネットワークを介して送信された調整データ（符号化調整データ）を受信して、この調整データを参照して撮像装置２および音声調整装置４を制御して撮像データおよび音声データを調整（取得）すると共に、撮像装置２および音声調整装置４で取得された撮像データ（映像データ）および音声データを符号化して送信するもので、送受信手段５と、調整データ復号出力手段７と、符号化手段９と、記憶手段１１とを備えている。
【００３９】
送受信手段５は、通信ネットワークと当該装置１とを接続するインターフェースの役割を果たしており、ルータ等によって構成されるもので、通信ネットワークを介してデータ受信装置３から送信された符号化調整データ、制御信号、タリー信号を受信すると共に、符号化手段９から出力された符号化映像音声データを、通信ネットワークを介してデータ受信装置３に出力するものである。
【００４０】
また、この送受信手段５で受信された符号化調整データおよび制御信号は、調整データ復号出力手段７に出力される。なお、符号化調整データは記憶手段１１にも出力される。この送受信手段５が請求項に記載した送信手段および受信手段に相当するものである。
【００４１】
調整データ復号出力手段７は、送受信手段５から出力された符号化調整データ、制御信号、タリー信号を受信し、符号化調整データを復号し、この復号した調整データを調整データ表示装置６に出力すると共に、制御信号を撮像装置２および音声調整装置４に出力し、タリー信号をオンエアタリー信号出力装置１０およびアナキュータリー信号出力装置１２に出力するものである。なお、この調整データ復号出力手段７では、入力された符号化調整データに対して、ＭＰＥＧ２方式による低解像度の復号解凍が施される。
【００４２】
符号化手段９は、撮像装置２で撮像された被写体、背景等の映像データと、音声調整装置４で調整された被写体の発声した音声、周囲の音等の音声データとを符号化した符号化映像音声データとして、送受信手段５に出力するものである。なお、この符号化手段９では、入力された映像データおよび音声データに対して、ＭＰＥＧ２方式による高解像度の符号化圧縮が施される。
【００４３】
記憶手段１１は、大容量のハードディスク等によって構成されており、送受信手段５で受信された符号化調整データを記憶するものである。なお、符号化調整データは、このデータ送信装置１で映像データおよび音声データを取得していない場合、つまり、このデータ送信装置１が設置されている中継場所で撮影が行われていない場合であっても、データ受信装置３から送信されてくるものである。例えば、通信ネットワークに接続されている他のデータ送信装置１で撮影が行われている場合に、データ受信装置３から任意の時間に符号化調整データが当該通信ネットワークに接続されている全てのデータ送信装置１に送信されることはあり得る。
【００４４】
なお、この記憶手段１１は、当該装置１に接続される外部記憶装置（パーソナルコンピュータのハードディスク等）の形態であってもよい。また、送受信手段５で受信された符号化調整データを記憶するのではなく、調整データ復号出力手段７で復号された調整データを記憶する形態であってもよい。
【００４５】
このデータ送信装置１によれば、送受信手段５によって、放送局側に備えられるコンテンツ調整装置１６で調整され、符号化された符号化調整データと制御信号とが受信され、この受信された符号化調整データが調整データ復号出力手段７で復号され、この復号された調整データが調整データ表示装置６に出力され、制御信号が撮像装置２および音声調整装置４に出力される。そして、符号化手段９によって、撮像装置２で撮像された映像データおよび音声調整装置４で調整された音声データが符号化され、この符号化された符号化映像音声データが送受信手段５によって、放送局側のデータ受信装置３に送信される。このため、このデータ送信装置１を中継場所に複数設けることによって、従来のようにＦＰＵ装置を介さずに、通信ネットワークを利用して、放送局と中継場所とが連携してコンテンツを制作することができる。
【００４６】
また、データ送信装置１の調整データ復号出力手段から出力される制御信号によって、撮像装置２および音声調整装置４を遠隔操作することができ、当該装置１を設置した中継場所には、ニュースキャスターのみを配置すればよく、当該装置１を取り扱う人員を削除することができ、当該中継場所を無人化することができる。さらに、ニュースキャスターは、調整データ表示装置６に表示される調整データと映像データ表示装置８に表示される映像データとを見比べながら（確認しながら）、ニュース等の原稿を読むことができる。
【００４７】
（データ受信装置の構成）
データ受信装置３は、複数のデータ送信装置１から送信された符号化映像音声データ（映像データおよび音声データ）を受信し、この符号化映像音声データを復号した映像音声データをコンテンツ調整装置１６に出力し、このコンテンツ調整装置１６にて当該符号化映像音声データの出力が調整された調整データを受信し、符号化した符号化調整データを、複数のデータ送信装置１に通信ネットワークを介して送信するもので、送受信手段１５と、マルチキャスト符号化手段１７と、復号手段１９と、記憶手段２１とを備えている。
【００４８】
送受信手段１５は、通信ネットワークと当該装置３とを接続するインターフェースの役割を果たしており、ルータ等によって構成されるもので、通信ネットワークを介してデータ送信装置１から送信された符号化映像音声データを受信すると共に、マルチキャスト符号化手段１７から出力された符号化調整データを、通信ネットワークを介してデータ送信装置１に出力するものである。
【００４９】
また、この送受信手段１５で受信された符号化映像音声データは、復号手段１９に出力される。なお、符号化映像音声データは記憶手段２１にも出力される。この送受信手段１５が請求項に記載した送信手段および受信手段に相当するものである。
【００５０】
マルチキャスト符号化手段１７（調整データ符号化出力手段）は、コンテンツ調整装置１６で調整された調整データを符号化した符号化調整データと、制御信号生成装置１８で生成された制御信号およびタリー信号とを送受信手段１５に出力するものである。なお、このマルチキャスト符号化手段１７では、入力された調整データに対して、ＭＰＥＧ２方式による低解像度の符号化圧縮が施される。
【００５１】
復号手段１９（映像音声データ復号出力手段）は、送受信手段１５から出力された符号化映像音声データを復号し、この復号した映像音声データをコンテンツ調整装置１６に出力するもので、オンエア用復号手段１９ａと、確認用復号手段１９ｂとを備えている。なお、この復号手段１９では、入力された符号化映像音声データに対して、ＭＰＥＧ２方式による高解像度の復号解凍が施される。
【００５２】
オンエア用復号手段１９ａ（放送用復号手段）は、入力された符号化映像音声データを復号して、放送用にコンテンツ調整装置１６ａを介して出力するものである。確認用復号手段１９ｂは、入力された符号化映像音声データを復号して、復号後の映像音声データを現在放送している映像音声データの次に放送していいかどうかを確認するために表示装置（図示せず）にコンテンツ調整装置１６ｂを介して出力するものである。
【００５３】
記憶手段２１は、大容量のハードディスク等によって構成されており、送受信手段１５で受信された符号化映像音声データを記憶するものである。
【００５４】
なお、この記憶手段２１は、当該装置３に接続される外部記憶装置（パーソナルコンピュータのハードディスク等）の形態であってもよい。また、送受信手段１５で受信された符号化映像音声データを記憶するのではなく、復号手段１９で復号された映像音声データを記憶する形態であってもよい。
【００５５】
このデータ受信装置３によれば、送受信手段１５によって、撮像装置２および音声調整装置４で取得され符号化された符号化映像音声データが受信され、復号手段１９によって、符号化映像音声データが復号され、この復号された映像音声データがコンテンツ調整装置１６に出力される。そして、マルチキャスト符号化手段１７によって、映像音声データがコンテンツ調整装置１６で調整された調整データが符号化され、この符号化された符号化調整データが出力されると共に、撮像装置２、音声調整装置４および再撮モニタ表示用ＰＣ（図示せず）を制御する制御信号と、オンエアタリー信号出力装置１０およびアナキュータリー信号出力装置１２から出力するタリー信号とが制御信号生成装置１８から受信され、これら制御信号およびタリー信号が出力され、送受信手段１５によって、符号化調整データ、制御信号およびタリー信号が送信される。このため、複数の中継場所にデータ送信装置１が設置されれば、従来のようにＦＰＵ装置を介さずに、当該データ送信装置１とデータ受信装置３とが通信ネットワークを介して連携してコンテンツを制作することができる。
【００５６】
また、このデータ受信装置３によれば、復号手段１９が、符号化映像音声データを直接放送波に乗せて（変調して）出力するためのオンエア用復号手段１９ａと、符号化映像音声データを復号した後の映像音声データを確認するための確認用復号手段１９ｂとの２つの復号手段を備えることによって、オンエア用復号手段１９ａで実際に放送する符号化映像音声データを復号しながら、確認用復号手段１９ｂで、次に放送する符号化映像音声データを復号した後の映像音声データを確認することができる。
【００５７】
（データ送信装置の動作）
次に、図２に示すフローチャートを参照して、データ送信装置１の動作を説明する（適宜、図１参照）。
【００５８】
まず、データ送信装置１の送受信手段５で、通信ネットワークを介してデータ受信装置３から送信された符号化調整データ、制御信号およびタリー信号が受信される（Ｓ１）。続いて、調整データ復号出力手段７で符号化調整データが調整データに復号され、この復号された調整データが調整データ表示装置６に出力され、制御信号が撮像装置２および音声調整装置４に出力され、タリー信号がオンエアタリー信号出力装置１０およびアナキュータリー信号出力装置１２に出力される（Ｓ２）。
【００５９】
そして、この制御信号に基づいて、撮像装置２および音声調整装置４が制御され、映像データおよび音声データが取得される。この映像データおよび音声データが符号化手段９で受信され符号化される。この符号化された符号化映像音声データが送受信手段５に出力される（Ｓ３）。その後、この送受信手段５から符号化映像音声データがデータ受信装置３に向け送信される（Ｓ４）。
【００６０】
（データ受信装置の動作）
次に、図３に示すフローチャートを参照して、データ受信装置３の動作を説明する（適宜、図１参照）。
【００６１】
まず、データ受信装置３の送受信手段１５で、通信ネットワークを介してデータ送信装置１から送信された符号化映像音声データが受信される（Ｓ１１）。続いて、復号手段１９で符号化映像音声データが映像音声データに復号され、この復号された映像音声データがコンテンツ調整装置１６に出力される（Ｓ１２）。
【００６２】
そして、マルチキャスト符号化手段１７で、コンテンツ調整装置１６で調整された調整データと、制御信号生成装置１８で生成された制御信号およびタリー信号が受信され、調整データが符号化された符号化調整データと、制御信号およびタリー信号が送受信手段１５に出力される（Ｓ１３）。その後、この送受信手段１５から符号化調整データ、制御信号およびタリー信号がデータ送信装置１に向け送信される（Ｓ１４）。
【００６３】
（データ送信装置を利用したＩＰスタジオ（単体の設備）の例について）
次に、図４を参照して、データ送信装置１を利用したＩＰスタジオ（単体の設備）の例について説明する。このＩＰスタジオは、中継場所等に予め設置されたものである（適宜、図１参照）。
【００６４】
この図４に示すように、データ送信装置１は、イーサポート１口から通信ネットワークに接続され、撮像装置２である、リモコン雲台に設置された１台のカメラと、制作設備ボックス２０とに接続されている。この制作設備ボックス２０には、調整データ表示装置６と、映像データ表示装置８と、オンエアタリー信号出力装置１０と、アナキュータリー信号出力装置１２と、ＬＥＤ照明駆動装置２２とが搭載されている。
【００６５】
なお、制作設備ボックス２０に搭載されている、調整データ表示装置６と、映像データ表示装置８と、オンエアタリー信号出力装置１０と、アナキュータリー信号出力装置１２とは、ニュースを読み上げるキャスターからこれらの表示画面が見える位置（方向）に配置されている。また、この制作設備ボックス２０は、音声調整装置４として、カフｂｏｘに接続されるマイクに接続されている。
【００６６】
そして、カメラおよびリモコン雲台の動き（動作）は、放送局側に備えられたデータ受信装置３から送信された制御信号に基づいて制御される。
【００６７】
また、ＬＥＤ照明駆動装置２２には、２台（この例では２台、通常複数台、なお、１台でも可能）のＬＥＤ照明が接続されており、このＬＥＤ照明は、このＬＥＤ照明駆動装置２４からの駆動制御によって、照明のオンオフ（ｏｎ／ｏｆｆ）や、明るさの調整がなされる。つまり、ＬＥＤ照明のオンオフや明るさの調整（調光制御）が放送局側に備えられたデータ受信装置３から送信された制御信号に基づいて制御される。
【００６８】
すなわち、このデータ送信装置１を利用したＩＰスタジオでは、ニュースを読み上げるキャスターに２台（複数台）のＬＥＤ照明から照明光が照射され、このキャスターは、送り返しイヤホンによって、放送として出力される音声と、放送局側からの指示音声や調整データからキャスター本人の音声データを除いた掛け合い音声データとを聴きながら、さらに、オンエアタリー信号出力装置１０およびアナキュータリー信号出力装置１２の表示部（図示せず）および表示画面（図示せず）によって表示される放送局側からの指示に従って、ニュースの原稿を読み上げたり、放送局側や別のＩＰスタジオのキャスターと掛け合いの会話を行ったりする。
【００６９】
そして、このキャスターを被写体として、カメラで撮像した映像データが取得され、マイクで当該キャスターが原稿を読み上げた声が音声データとして取得される。
【００７０】
このデータ送信装置１を利用したＩＰスタジオの場合、キャスター以外に人員を配置する必要がなく、コンテンツ（番組）を制作する制作コストを削減することができる。
【００７１】
（データ送信装置を利用したＩＰスタジオ（複数で運用）の例について）
次に、図５を参照して、複数のデータ送信装置１を利用したＩＰスタジオ（複数で運用）の例について説明する（適宜、図１参照）。
【００７２】
図５に示すように、複数のデータ送信装置１（１Ａ、１Ｂ、１Ｃ、１Ｄ）が各ＩＰスタジオに備えられており、これらデータ送信装置１（１Ａ、１Ｂ、１Ｃ、１Ｄ）が放送局に備えられたデータ受信装置３とブロードバンドネットワーク（通信ネットワーク）を介して接続されている。なお、データ送信装置１（１Ａ、１Ｂ、１Ｃ、１Ｄ）とデータ受信装置３とは、ブロードバンドネットワーク（通信ネットワーク）のアクセスポイントにそれぞれ接続されている。
【００７３】
また、データ送信装置１ＡはＡ出先スタジオに、データ送信装置１ＢはＢ出先スタジオに、データ送信装置１ＣはＣ出先スタジオに、データ送信装置１ＤはＤ出先スタジオにそれぞれ備えられている。そして、データ送信装置１（１Ａ、１Ｂ、１Ｃ、１Ｄ）を利用することによって、Ａ出先スタジオからＢ出先スタジオに、Ｂ出先スタジオからＣ出先スタジオに、Ｃ出先スタジオからＤ出先スタジオに、順次リレー中継を行っている。これによって、これらデータ送信装置１（１Ａ、１Ｂ、１Ｃ、１Ｄ）と、放送局に備えられたデータ受信装置３とが連携（協同）することによって、コンテンツ（番組）を制作することができる。
【００７４】
ここで、この複数のデータ送信装置１を利用したＩＰスタジオによってリレー中継を行った場合（図５参照）と、従来のＦＰＵ装置を利用してリレー中継を行った場合（図７参照）との差（本願発明の顕著な効果）について説明する。
【００７５】
従来のＦＰＵ装置では、接続先を切り替えるのにＦＰＵ装置（ＦＰＵ送信機、ＦＰＵ受信機双方）のアンテナ方向調整に５分から１０分の時間を要していたので、放送局に備えられたＦＰＵ装置（ＦＰＵ受信機）のアンテナをＡ出先スタジオからＢ出先スタジオの方向に変える作業（調整作業）の時間を稼ぐために、必ず、スタジオカット（例えば、放送局のスタジオの映像）を挿入しなければならなかった。そして、中継場所をＡ出先スタジオからＢ出先スタジオに、Ｂ出先スタジオからＣ出先スタジオに、Ｃ出先スタジオからＤ出先スタジオに変更するたびに、アンテナ方向調整を行わなければならなかった。
【００７６】
それに比べ、データ送信装置１（１Ａ、１Ｂ、１Ｃ、１Ｄ）を利用した場合、ＦＰＵ装置にように、アンテナ方向調整を行う必要がないので、中継場所から中継場所（Ａ出先スタジオからＢ出先スタジオ、Ｂ出先スタジオからＣ出先スタジオ、Ｃ出先スタジオからＤ出先スタジオ）に連続してリレー中継を行うことができる。
【００７７】
（データ送信装置を利用したＩＰスタジオ（応用運用）の例について）
次に、図６を参照して、データ送信装置１を利用したＩＰスタジオ（応用運用）の例について説明する。
【００７８】
図６に示すように、データ送信装置１がＩＰスタジオに備えられ、ハイビジョン用データ送信装置３１（３１Ａ）が中継場所に備えられ、ハイビジョン用データ送信装置３１（３１Ｂ）が固定中継場所（ＪＲの線路や高速道路等）に備えれられており、これらが放送局に備えられたデータ受信装置３とブロードバンドネットワーク（通信ネットワーク）を介して接続されている。なお、図６に示した「テレビ会議中継システム」、つまり、一般視聴者の家庭にも図示を省略したがデータ送信装置１と撮像装置２と音声調整装置４とが備えられている。
【００７９】
また、データ送信装置１、ハイビジョン用データ送信装置３１（３１Ａ）およびハイビジョン用データ送信装置３１（３１Ｂ）とデータ受信装置３とは、ブロードバンドネットワーク（通信ネットワーク）のアクセスポイントにそれぞれ接続されている。
【００８０】
ここで示したハイビジョン用データ送信装置３１は、撮像装置２にハイビジョンカメラを用いて撮像した高解像度の映像データを符号化するハイビジョン用データ符号化手段（図示せず）を備えたものである。
【００８１】
これらデータ送信装置１、ハイビジョン用データ送信装置３１（３１Ａ）およびハイビジョン用データ送信装置３１（３１Ｂ）とデータ受信装置３とが連携することによって、一般視聴者参加型のテレビ会議を実現することができる。
【００８２】
以上、一実施形態に基づいて本発明を説明したが、本発明はこれに限定されるものではない。
例えば、データ送信装置１およびデータ受信装置３の各構成の処理を汎用的なコンピュータ言語で記述したデータ送信プログラムおよびデータ受信プログラムとみなすことは可能であり、各構成の処理を一つずつの過程と捉えたデータ送受信方法とみなすことは可能である。これらの場合、データ送信装置１およびデータ受信装置３と同様の効果を得ることができる。
【００８３】
そしてまた、データ送信装置１およびデータ受信装置３を利用したデータ送受信方法と捉えた場合、複数の出先スタジオの設備（データ送信装置１、撮像装置２、音声調整装置４等）を、１カ所の放送局側から制御することができる。つまり、複数の出先スタジオで取得された映像データおよび音声データを放送局側に伝送（送信）し、放送局側のコンテンツ調整装置１６等を含むスタジオ設備（副調整装置［図示せず］）によって、全ての出先スタジオの映像データおよび音声データの切替、混合、合成を行うことができる。
【００８４】
例えば、出先スタジオ（ＣＧ合成を行う出先スタジオ）の撮像装置２で撮像した映像データと同時に、別の映像データ（例えば、ＡＸＩ−ＶＩＳＩＯＮで撮像したキー信号）を伝送して、放送局側でこれらの映像データを用いてＣＧ等と合成を行うことができる。さらに、出先スタジオには、要員（スタッフ）を必要とする従来の映像装置（図示せず）および従来の音声調整装置（図示せず）は設置しないため、複数の出先スタジオを無人で運用することができ、効率的なコンテンツ制作を実現することができる。
【００８５】
【発明の効果】
請求項１、２記載の発明によれば、データ送信装置を中継場所に複数設けることによって、従来のようにＦＰＵ装置を介さずに、通信ネットワークを利用して、放送局と中継場所とが連携してコンテンツを制作することができる。
【００８６】
請求項３、５記載の発明によれば、複数の中継場所にデータ送信装置が設置されれば、従来のようにＦＰＵ装置を介さずに、通信ネットワークを介して当該データ送信装置と連携してコンテンツを制作することができる。
【００８７】
請求項４記載の発明によれば、オンエア用復号手段で実際に放送する符号化映像音声データを復号しながら、確認用復号手段で、次に放送する符号化映像音声データを復号した後の映像音声データを確認することができる。
【００８８】
請求項６記載の発明によれば、データ送信側とデータ受信側とで協同してコンテンツの制作を行うことができ、コンテンツを制作する資源（装置、要員）の効率的な運用を実現することができる。
【図面の簡単な説明】
【図１】本発明による一実施の形態であるコンテンツ制作システム（データ送信装置およびデータ受信装置を包含）のブロック図である。
【図２】図１に示したデータ送信装置の動作を説明したフローチャートである。
【図３】図１に示したデータ受信装置の動作を説明したフローチャートである。
【図４】データ送信装置を利用したＩＰスタジオ（単体の設備）の例について説明した図である。
【図５】複数のデータ送信装置を利用したＩＰスタジオ（複数で運用）の例について説明した図である。
【図６】データ送信装置を利用したＩＰスタジオ（応用運用）の例について説明した図である。
【図７】従来のＦＰＵ装置の問題点を説明した図である。
【図８】従来のＦＰＵ装置の問題点（別途１対向のＦＰＵ装置が必要であること）を説明した図である。
【符号の説明】
１          データ送信装置
３          データ受信装置
５、１５    送受信手段（送信手段、受信手段）
７          調整データ復号出力手段
９          符号化手段
１１、２１  記憶手段
１７        マルチキャスト符号化手段（調整データ符号化出力手段）
１９        復号手段（映像音声データ復号出力手段）
１９ａ      オンエア用復号手段（放送用復号手段）
１９ｂ      確認用復号手段
【図１】
2005005958.tif 000003
【図２】
2005005958.tif 000004
【図３】
2005005958.tif 000005
【図４】
2005005958.tif 000006
【図５】
2005005958.tif 000007
【図６】
2005005958.tif 000008
【図７】
2005005958.tif 000009
【図８】
2005005958.tif 000010